(57)【要約】      （修正有）【課題】耐久性の高いゴルフ用ティーを提供する。【解決手段】ゴルフボールが載せられるボール載置部１と地面に突刺されてボール載置部１を地面から所定高さに位置させる軸部２とを備えている。ボール載置部１は、一部分が弾性材で形成されている。ボール載置部１の残る部分と軸部２とは非弾性材で形成されている。弾性材で形成された部分Ａと非弾性材で形成された部分Ｂとは凹凸構造Ｃで接合されている。【選択図】図１
0003102358.tif 000002
【実用新案登録請求の範囲】
【請求項１】
ゴルフボールが載せられるボール載置部と地面に突刺されてボール載置部を地面から所定高さに位置させる軸部とを備え、ボール載置部付近が弾性材で形成され他の部分が非弾性材で形成されてなるゴルフ用ティーにおいて、ボール載置部は一部分が弾性材で形成され、ボール載置部の残る部分と軸部とは非弾性材で形成され、弾性材で形成された部分と非弾性材で形成された部分とは凹凸構造で接合されていることを特徴とするゴルフ用ティー。
【請求項２】
請求項１のゴルフ用ティーにおいて、凹凸構造は周方向への回止め構造であることを特徴とするゴルフ用ティー。
【請求項３】
請求項１または２のゴルフ用ティーにおいて、凹凸構造は軸方向への抜止め構造であることを特徴とするゴルフ用ティー。
【請求項４】
請求項１〜３のいずれかのゴルフ用ティーにおいて、弾性材で形成された部分と非弾性材で形成された部分とは色が異なることを特徴とするゴルフ用ティー。
【考案の詳細な説明】
【技術分野】
【０００１】
本考案は、ゴルフの際に地面に突刺してゴルフボールを載せるゴルフ用ティーに係る技術分野に属する。
【背景技術】
【０００２】
従来、ゴルフ用ティーとしては、例えば、特開２００３−１８０８９４号公報に記載のものが知られている。
【０００３】
この従来のゴルフ用ティーは、ゴルフボールが載せられるボール載置部と地面に突刺されてボール載置部を地面から所定高さに位置させる軸部とを備え、ボール載置部の全部と軸部の上半部とを弾性材で形成し、軸部の下半部を非弾性材で形成してなる。
【０００４】
この従来のゴルフ用ティーによると、弾性材で形成された部分でゴルフボールの打撃の衝撃を吸収して、割れ，折れ等の損傷を防止するとともに、飛跳ねによる紛失を防止することができる。
【考案の開示】
【考案が解決しようとする課題】
【０００５】
前述の従来のゴルフ用ティーでは、弾性材で形成された部分と非弾性材で形成された部分とが単純な嵌合構造で接合されているため、ゴルフボールの打撃の衝撃で弾性材で形成された部分と非弾性材で形成された部分とが離脱しやすく耐久性が低いという問題点がある。
【０００６】
本考案は、このような問題点を考慮してなされたもので、耐久性の高いゴルフ用ティーを提供することを課題とする。
【課題を解決するための手段】
【０００７】
前述の課題を解決するため、本考案に係るゴルフ用ティーは、実用新案登録請求の範囲の各請求項に記載の手段を採用する。
【０００８】
即ち、請求項１では、ゴルフボールが載せられるボール載置部と地面に突刺されてボール載置部を地面から所定高さに位置させる軸部とを備え、ボール載置部付近が弾性材で形成され他の部分が非弾性材で形成されてなるゴルフ用ティーにおいて、ボール載置部は一部分が弾性材で形成され、ボール載置部の残る部分と軸部とは非弾性材で形成され、弾性材で形成された部分と非弾性材で形成された部分とは凹凸構造で接合されていることを特徴とする。
【０００９】
この手段では、弾性材で形成された部分と非弾性材で形成された部分との接合面が凹凸構造で拡張され接合強度が高められる。
【００１０】
また、請求項２では、請求項１のゴルフ用ティーにおいて、凹凸構造は周方向への回止め構造であることを特徴とする。
【００１１】
この手段では、凹凸構造によってゴルフボールの打撃の衝撃が掛かるボール載置部が回止めされる。
【００１２】
また、請求項３では、請求項１または２のゴルフ用ティーにおいて、凹凸構造は軸方向への抜止め構造であることを特徴とする。
【００１３】
この手段では、凹凸構造によってゴルフボールの打撃の衝撃が掛かるボール載置部が抜止めされる。
【００１４】
また、請求項４では、請求項１〜３のいずれかのゴルフ用ティーにおいて、弾性材で形成された部分と非弾性材で形成された部分とは色が異なることを特徴とする。
【００１５】
この手段では、弾性材で形成された部分と非弾性材で形成された部分とが色分けされる。
【考案の効果】
【００１６】
本考案に係るゴルフ用ティーは、弾性材で形成された部分と非弾性材で形成された部分との接合面が凹凸構造で拡張され接合強度が高められるため、ゴルフボールの打撃の衝撃で弾性材で形成された部分と非弾性材で形成された部分とが簡単に離脱することがなく耐久性が高くなる効果がある。また、ボール載置部の一部分が非弾性材で形成されて凹凸構造で弾性材で形成された部分に食込むように接合されているため、ゴルフボールの打撃の衝撃でボール載置部が無用に変形することがない効果がある。
【００１７】
さらに、請求項２として、凹凸構造によってゴルフボールの打撃の衝撃が掛かるボール載置部が回止めされるため、より耐久性が高くなる効果がある。
【００１８】
さらに、請求項３として、凹凸構造によってゴルフボールの打撃の衝撃が掛かるボール載置部が抜止めされるため、より耐久性が高くなる効果がある。
【００１９】
さらに、請求項４として、弾性材で形成された部分と非弾性材で形成された部分とが色分けされるため、装飾性が高くなる効果がある。
【考案を実施するための最良の形態】
【００２０】
以下、本考案に係るゴルフ用ティーを実施するための最良の形態を図面に基づいて説明する。
【００２１】
図１〜図４は、本考案に係るゴルフ用ティーを実施するための最良の形態の第１例を示すものである。
【００２２】
第１例は、前述の従来例と同様に、ゴルフボールが載せられるボール載置部１と、地面に突刺されてボール載置部１を地面から所定高さに位置させる軸部２とからなる。        
【００２３】
ボール載置部１は、下方へ向けて絞られた円錐台形に形成され、上面に載せられるゴルフボールに対応した球面座１１が設けられ、球面座１１の中央部にエア，水の溜まりを防止して載せられたゴルフボールの定着性を高めるための穴１２か設けられている。このボール載置部１は、上部の一部分が合成ゴム，軟質合成樹脂材等の弾性材で形成され、下部の残る部分が硬質合成樹脂材等の非弾性材で形成されている。
【００２４】
軸部２は、円錐柱形の本体部２１にの中途部に地面への突刺しの抵抗を低減する溝２２が設けられ先端部（下端部）に地面への突刺しを容易にする先鋭部２３が設けられている。この軸部２は、全部が硬質合成樹脂材等の非弾性材で形成されている。
【００２５】
弾性材で形成された部分Ａと非弾性材で形成された部分Ｂとは、色を異ならせて凹凸構造Ｃで接合されている。この接合については、必要に応じて熱溶着，接着剤塗布等で固着される。また、ボール載置部１，軸部２の非弾性材で形成された部分Ｂは、一体成形されている。
【００２６】
凹凸構造Ｃは、外周側でジグザグに上下に噛合い周方向への移動を阻止する回止め構造Ｃａと、中心側で嵌合して径方向への移動を阻止するずれ止め構造Ｃｂとからなる。なお、回り止め構造Ｃａは、テーパ面に形成されて軸方向への移動を阻止する抜止め構造Ｃｃをも兼用している。
【００２７】
第１例によると、弾性材で形成された部分Ａと非弾性材で形成された部分Ｂとの接合面が凹凸構造Ｃで拡張され接合強度が高められる。また、凹凸構造Ｃの回止め構造Ｃａ，ずれ止め構造Ｃｂ，抜止め構造Ｃｃによって、接合面の周方向，径方向，軸方向への移動（位相が）確実に阻止される。このため、ゴルフボールの打撃の衝撃で弾性材で形成された部分Ａと非弾性材で形成された部分Ｂとが簡単に離脱することがなく、耐久性が高くなる。
【００２８】
また、ボール載置部１の一部分が非弾性材で形成されて凹凸構造Ｃで弾性材で形成された部分Ａに食込むように接合されているため、ゴルフボールの打撃の衝撃でボール載置部１が無用に変形することがない。このため、ゴルフボールを不正確に打撃してボール載置部１に相当の衝撃が掛かっても、変形の無用の反動のゴルフボールをあらぬ方向へ飛ばして紛失させたり周囲の人に衝突することもない。
【００２９】
また、弾性材で形成された部分Ａと非弾性材で形成された部分Ｂとの色が異なり、凹凸構造Ｃでジグザグに上下に噛合う色分け模様が形成されているため、装飾性が高くなる。
【００３０】
図５，図６は、本考案に係るゴルフ用ティーを実施するための最良の形態の第２例を示すものである。
【００３１】
第２例では、ボール載置部１の上部にまで環状に非弾性材で形成された部分Ｂを配置し、凹凸構造Ｃの回止め構造Ｃａ，抜止め構造Ｃｃをボール載置部１の非弾性材で形成された部分Ｂ設けられた窓としてある。
【００３２】
第２例によると、前述の第１例と同様の作用，効果が奏されることに加えて、凹凸構造Ｃの抜止め構造Ｃｃが係合により抜止め機能が強化されることになる。
【００３３】
図７，図８は、本考案に係るゴルフ用ティーを実施するための最良の形態の第３例を示すものである。
【００３４】
第３例では、凹凸構造Ｃの回止め構造Ｃａを波形に上下に噛合うようにしてある。
【００３５】
第３例によると、前述の第１例と同様の作用，効果が奏されることに加えて、凹凸構造Ｃが簡素化されて安価，容易に製造できることになる。
【図面の簡単な説明】
【００３６】
【図１】本考案に係るゴルフ用ティーを実施するための最良の形態の第１例を示す斜視図である。
【図２】図１の正面図である。
【図３】図１の底面図である。
【図４】図１の要部の拡大断面図である。
【図５】本考案に係るゴルフ用ティーを実施するための最良の形態の第２例を示す正面図である。
【図６】図５の要部の拡大断面図である。
【図７】本考案に係るゴルフ用ティーを実施するための最良の形態の第３例を示す正面図である。
【図８】図７の要部の拡大断面図である。
【符号の説明】
【００３７】
１            ボール載置部
２            軸部
Ａ            弾性材で形成された部分
Ｂ            非弾性材で形成された部分
Ｃ            凹凸構造
Ｃａ          回止め構造
Ｃｂ          ずれ止め構造
Ｃｃ          抜止め構造
【図１】
0003102358.tif 000003
【図２】
0003102358.tif 000004
【図３】
0003102358.tif 000005
【図４】
0003102358.tif 000006
【図５】
0003102358.tif 000007
【図６】
0003102358.tif 000008
【図７】
0003102358.tif 000009
【図８】
0003102358.tif 000010